(57)【要約】【課題】個人に属する情報流出を避けると同時にセキュリティ低下を防ぎ、且つ操作性が良い錠前装置を提供する。【解決手段】本発明の錠前装置に使用される鍵１は、操作者の指紋情報を取得する指紋センサ１３と、鍵１の錠部２への挿入時に前記センサ１３で取得した指紋情報に基づいて操作者についての認証を行う認証部１４と、該認証部１４で行った認証結果を前記錠部２に送信する送信部１５と、を備えている。解錠するためのデッドボルト９は、鍵１と錠部２が正しい組み合わせであるときに解錠する外側ボルト９０と、ソレノイド２０の駆動により引き込まれる内側ボルト９１とで構成されている。  前記錠部２は、前記送信部１５から送信されてきた前記認証結果を受信する受信部２４を備え、認証結果が前記操作者についての認証が成立したものであるときにソレノイド２０をオンして、内側ボルト９１を引き込む。【選択図】図１
2007040021.tif 000002
【特許請求の範囲】
【請求項１】
鍵を錠部に挿入して解錠を行う錠前装置において、
前記鍵は、操作者の生体情報を取得する生体情報取得センサと、該鍵の錠部への挿入時に前記センサで取得した生体情報に基づいて前記操作者についての認証を行う認証部と、該認証部で行った認証結果を前記錠部に送信する送信部と、を備え、
前記錠部は、前記送信部から送信されてきた前記認証結果を受信する受信部と、該受信部で受信した前記認証結果が前記操作者についての認証が成立し、且つ挿入された鍵と該錠部が正しい組み合わせであるときに解錠する解錠部と、を備えたことを特徴とする錠前装置。
【請求項２】
前記鍵は、前記錠部に挿入する部分が複数のパンチ孔が形成されたものであり、前記解錠部は該パンチ孔の配置パターンを検出する検出部を備え、該検出部で検出したパンチ孔の配置パターンによって鍵と錠部が正しい組み合わせであるかどうかを判定するようにした請求項１記載の錠前装置。
【請求項３】
前記生体情報取得センサは、前記生体情報として指紋情報を取得する請求項１又は２記載の錠前装置。
【請求項４】
前記送信部と前記受信部は、非接触で通信する非接触通信部を備える請求項１〜３のいずれかに記載の錠前装置。
【請求項５】
前記認証部は、前記生体情報取得センサで取得された生体情報を記憶する記憶部を備え、前記鍵の錠部への挿入時に前記センサで取得した生体情報と前記記憶部に記憶されている生体情報とを対比して操作者についての認証が成立したか否かを判定する請求項１〜４のいずれかに記載の錠前装置。
【請求項６】
操作者の指紋情報を取得する生体情報取得センサと、鍵の錠部への挿入時に前記センサで取得した指紋情報に基づいて鍵操作者についての認証を行う認証部と、該認証部で行った認証結果を前記錠部に送信する送信部と、を備えた鍵。
【発明の詳細な説明】
【技術分野】
【０００１】
本発明は、錠前装置に関し、特に、不特定多数者が利用し、かつ、高いセキュリティ性を必要とする例えばホテルのドアキーなどに好適な、鍵の組み合わせによる認証と鍵を所持する人の生体認証とを二重に行う錠前装置に関するものである。
【背景技術】
【０００２】
従来、生体認証、特に指紋認証を用いた錠前装置としては、以下に記載するようなものがある。
【０００３】
(１）指紋認証のみを用いた錠前装置
例えば特許文献１の図４に示されるように、指紋認証のみを行うドアの錠前装置がある。この錠前装置では、ドアハンドルの握り部に指紋センサを埋め込み、このセンサにより取得された指紋情報がドアに有する指紋認証手段で判定され、認証が成立すれば解錠を行う。
【０００４】
（２）機械的認証と指紋認証を二重に行う錠前装置
例えば特許文献２の図６に示されるように、機械的認証と指紋認証を二重に行うドアの錠前装置がある。ここでいう機械的認証とは、鍵と錠部の組み合わせが正しいものであるかどうかを判定して認証することをいい、典型的には通常の鍵構造をいう。指紋認証はドアに設けられた指紋認証装置において行われ、操作者は指紋認証装置で指紋認証を行うための操作と、機械的認証を行うための鍵の挿入操作とを行い、機械的認証と指紋認証の双方が成立したときにのみ解錠を行う。
【特許文献１】特開２００２−３４９１００号公報
【特許文献２】特開２００４−１０８０２２号公報
【発明の開示】
【発明が解決しようとする課題】
【０００５】
しかしながら、上述の生体認証、特に指紋認証を用いた錠前装置では、以下に記載するような課題がある。
【０００６】
（１）指紋認証のみを用いた錠前装置（特許文献１）
指紋認証のみを認証手段として用いる場合、一定の誤認証(他人誤認／本人誤認ともに0.1％程度)が生じることがあるため、セキュリティ性に難がある。指紋認方式以外の他の生体認証方式でも同様である。また、認証手段がドア側に設けられているため、指紋情報が外部に流出するリスクがあり、操作者の抵抗感が強いという課題がある。
【０００７】
（２）機械的認証と指紋認証を共に用いた錠前装置（特許文献２）
機械的認証と指紋認証を共に用いる場合には、上記のセキュリティ性が向上するが、機械的認証での開閉錠処理と指紋認証の両方を別々に行う必要があるため、利用者の利便性が低下する課題がある。
【０００８】
また、認証手段がドア側に設けられているため、指紋情報の流出に関しては、上記と同じ課題がある。
【０００９】
本発明の目的は、個人に属する情報流出を避けると同時にセキュリティ低下を防ぎ、且つ操作性が良い錠前装置を提供することにある。
【課題を解決するための手段】
【００１０】
本発明に係る錠前装置は、通常の錠前装置と同様に、鍵と錠部とを備えている。
【００１１】
前記鍵は、操作者の生体情報を取得する生体情報取得センサと、該鍵の錠部への挿入時に前記センサで取得した生体情報に基づいて前記操作者についての認証を行う認証部と、該認証部で行った認証結果を前記錠部に送信する送信部と、を備えている。
【００１２】
操作者の生体情報は、鍵の内部で認証され、その結果だけが錠部に対して送信される。これにより、生体情報の流出を未然に防ぎ、操作者の抵抗感をなくすことが可能である。
【００１３】
前記錠部は、前記送信部から送信されてきた前記認証結果を受信する受信部と、該受信部で受信した前記認証結果が前記操作者についての認証が成立し、且つ挿入された鍵と該錠部が正しい組み合わせであるときに解錠する解錠部と、を備えている。
【００１４】
上記構成では、解錠部は、生体情報についての認証が成立し、且つ、鍵と錠部の組み合わせについての認証（機械的認証）が成立したときにのみ解錠されることになる。このため、セキュリティの低下を防ぎ、また、生体情報の流出も防がれる。さらに、鍵の操作だけで生体情報の認証と機械的認証を行うことができるため操作性を低下させない。
【００１５】
前記鍵は、機械的認証を行う手段として、前記錠部に挿入する部分に複数のパンチ孔が形成されたもので構成することが可能である。このような構成では、前記解錠部は該パンチ孔の配置パターンを検出し、そのパンチ孔の配置パターンによって鍵と錠部が正しい組み合わせであるかどうかを判定する。
【００１６】
前記生体情報としては、典型的には指紋情報が適当である。鍵の形状が親指と人指し指で掴む形状をしているため、親指側に指紋報取得センサを設けることにより、鍵操作時に同時に指紋情報を取得することができる。
【００１７】
前記送信部と前記受信部は、非接触で通信する構成にすれば好ましい。非接触通信方式には、ＲＦＩＤ(Radio Frequency-IDentification)、電子タグ方式、ＩｒＤＡ方式等がある。有接点の接触通信方式ももちろん採用可能である。
【００１８】
前記認証部は、一例として、次のように構成して生体情報認証を行う。
【００１９】
前記認証部は記憶部を備え、この記憶部に、前記生体情報取得センサで取得された生体情報を基準生体情報として記憶する。この状態で、鍵の錠部への挿入時に前記センサで取得した生体情報と前記記憶部に記憶されている基準生体情報とを対比して操作者についての認証が成立したか否かを判定する。認証が成立するときは、記憶部に記憶されている基準生体情報と、生体情報取得センサで取得された生体情報とが所定の許容範囲内で一致するときであり、一般的には生体情報そのもの、又は、生体情報の特徴部を比較の対象とする。
【発明の効果】
【００２０】
本発明によれば、生体情報による認証と、鍵と錠部の組み合わせによる機械的認証が同時に成立したときにのみ解錠されためにセキュリティの低下がなく、また、生体情報は鍵内から外部に流出することがないために個人に属する情報流出を避けることができる。また、生体情報取得センサを鍵内に設けているため、鍵による解錠操作のときに生体情報による認証が行われる。このため操作性が良い。
【発明を実施するための最良の形態】
【００２１】
図１〜図３は、本発明の実施形態であるドア用錠前装置を示し、図１は鍵の平面図、図２、図３は、各々、錠部をドアの外側から見た錠部、ドアの内側から見た錠部の斜視図を示している。
【００２２】
図１において、鍵１の前部（図の右側の部分）には、鍵部分１０が設けられ、後部（図の左側の部分）には、把手部１１が設けられている。また、鍵部分１０には、その上下方向中央部分で長手方向に沿って溝１２が設けられている。
【００２３】
前記把手部１１には、その表面に指紋センサ１３が設けられ、内部には認証部１４が設けられている。また、鍵１の先端部付近（図の右端部付近）には、溝１２に沿って通信部（送受信用コイル）１５が設けられている。通信部１５は鍵１内に埋め込んでも良いし、溝１２の壁面に接着剤層などで固定しても良い。後者の場合は、鍵挿入時に通信部１５が剥がれる可能性があるため、望ましくは鍵１内に埋め込む。
【００２４】
前記鍵１の把手部１１には、操作者の指紋情報を取得する指紋センサ１３が設けられている。この指紋センサ１３は、予め決められた指の所定の部分に当たるように位置が決められている。例えば、親指の腹の部分の指紋を検出するように決められている場合は、指紋センサ１３は、把手部１１を右手で持った場合に左側に位置する把手部面に設けられ、操作者が右手で把手部１１を持った場合に右手の親指内側が指紋センサ１３に当たるようにされている。左利き用の鍵がある場合には、指紋センサ１３は上記と反対側（把手部１１を左手で持った場合に右側に位置する把手部面）に設けられる。指紋センサ１３を把手部１１の両側に設けることも可能である。
【００２５】
前記鍵１の把手部１１の内部には、前記指紋センサ１３で取得した指紋情報に基づいて操作者についての認証を行う認証部１４が設けられている。この認証部１４は、後述のように、予め基準となる基準指紋情報を記憶するメモリを備え、指紋センサ１３で取得した指紋情報と基準指紋情報とを比較して、両者が同じものであるかどうかを判定する。メモリには、基準指紋情報の特徴部を記憶しておき、比較時に、指紋センサ１３で取得した指紋情報の特徴部を抽出し、これとメモリに記憶してある基準指紋情報とを比較する。両方の指紋情報の特徴部の差が所定の許容範囲内にあれば、両者が同一であると判定する。なお、特徴部ではなく、両指紋情報をそのまま比較しても良い。
【００２６】
上記メモリへの指紋情報の記憶は、予め、指紋センサ１３を用いて行うことができる。すなわち、指紋情報を記憶しようとするときに指紋情報の登録モードを設定し、この登録モードのときに、指紋センサ１３で取得した指紋情報を基準指紋情報としてメモリに記憶する。詳細については後述する。
【００２７】
前記認証部１４で操作者についての認証結果は、通信部１５に送られ、無線信号として送信される。指紋情報による操作者の認証が成立すること、すなわち、指紋センサ１３で取得した指紋情報の特徴部とメモリに記憶されている基準指紋情報の特徴部とが一致することが、解錠する条件の一つとなる。解錠するための第１の条件は、上記のように指紋情報による操作者の認証が成立することであり、第２の条件は、鍵部分１０が錠部と正しい組み合わせであって鍵１が正常に回転することである。後者の条件が成立することを、以下、機械的認証が成立しているという。
【００２８】
なお、後述のように、通信部１５は、錠部２との間で非接触通信により通信を行う。動作に必要な電源は、非接触通信により錠部２から送信される搬送波により供給されるが、鍵１内に小型のバッテリを設け、このバッテリから供給することも可能である。
【００２９】
図２において、錠部２は、部屋のドア３に設けられている。錠部２は、ドア３の外側に位置する外側ドアハンドル４と、該外側ドアハンドル４の上部に位置しているシリンダ５とを備えている。シリンダ５には鍵穴が設けられ、この鍵穴に上記鍵１を挿入して回転する。ドア３の内側には、上記外側ドアハンドル４に対称に内側ドアハンドル６が設けられ、外側ドアハンドル４に連結している外側回転軸４０と内側ドアハンドル６に連結している内側回転軸６０とは、回転可能に同軸に設けられている。外側回転軸４０と内側回転軸６０とは、錠部２内において仮締め用のラッチボルト８に連結されている。ラッチボルト８は、錠部２内において図示しないバネに連結され、このバネは、外側ドアハンドル４又は内側ドアハンドル６に外力が加わらないときに、ラッチボルト８を外側に押し出す方向に作用する。外側ドアハンドル４を上記バネの弾性に抗して時計方向に回転するように操作するか、又は、内側ドアハンドル６を上記バネの弾性に抗して反時計方向に回転するように操作すると、ラッチボルト８が錠部２内に（内側に）引かれる。
【００３０】
前記錠部２の内側には、内側ドアハンドル６の上部にサムターン７が設けられている。サムターン７は、操作用のツマミ７０を備え、このツマミ７０によりサムターン７を時計方向と反時計方向にそれぞれ４５度回転可能になっている。サムターン７は、錠部２の側面に設けられている本締め用ボルト（以下、デッドボルトと称する）９に連結されている。
【００３１】
前記デッドボルト９は、図４に示すように二重構造となっている。すなわち、デッドボルト９は、外側ボルト９０と、その内側を摺動して進退可能な内側ボルト９１とで構成され、外側ボルト９０はシリンダ５に挿入される鍵１を回転することで錠部２から突出させることが出来る。また、外側ボルト９０が錠部２内に引き込まれている状態でサムターン７を４５度回転操作することによって外側ボルト９０を錠部２から突出させることができ、反対に外側ボルト９０が錠部２から突出している状態でサムターン７を反対方向に４５度回転操作することで同ボルト９０を錠部２内に引き込ませることができる。
【００３２】
前記内側ボルト９１は錠部２に設けられているソレノイド２０により往復動する。前記ソレノイド２０は、内側ボルト９１が突出している状態で指紋認証が成立するとオンし、内側ボルト９１を錠部２内に引き込む。また、ソレノイド２０は、内側ボルト９１が錠部２内に引き込んでいる状態でオンすると該内側ボルト９１を突出させる。外側ボルト９０と内側ボルト９１が施錠状態にあるときに、サムターン７を回転すると、ソレノイド２０がオンする。
【００３３】
図５は、ソレノイド２０への通電と内側ボルト９１による施解錠との関係を示す図である。施錠状態にあるｔ１においてソレノイド２０へ瞬時通電すると内側ボルト９１が錠部２内に引き込まれ解錠状態となる。また、解錠状態にあるｔ２においてソレノイド２０へ瞬時通電すると内側ボルト９１が突出し、施錠状態となる。
【００３４】
施錠は、外側ボルト９０と内側ボルト９１のいずれか、又は両方が突出することで実現される。図４（Ａ）は、外側ボルト９０と内側ボルト９１のいずれもが突出している状態を示し、同図（Ｂ）は内側ボルト９１が突出している状態を示し、同図（Ｃ）は外側ボルト９０が突出している状態を示している。
【００３５】
したがって、図４（Ａ）のように外側ボルト９０と内側ボルト９１が突出しているデッドボルト９の全体による施錠状態において、シリンダ５に鍵１を挿入して回転するときに、同時に指紋認証が成立していれば外側ボルト９０と内側ボルト９１の両方が錠部２内に引き込まれて、ドアの解錠状態となる。この場合、指紋認証のみが成立していなければ、図４（Ｂ）のように外側ボルト９０だけが錠部２内に引き込まれ、施錠状態は維持される。シリンダ５に挿入した鍵１を回転せず、指紋認証のみが成立しているときには、図４（Ｃ）のように外側ボルト９０はそのままで、内側ボルト９１のみが錠部２内に引き込まれる。この場合も、施錠状態は保持される。図４（Ａ）の状態でサムターン７を回転操作すると、無条件に外側ボルト９０と内側ボルト９１が錠部２内に引き込まれて解錠される。
【００３６】
錠部２内には、デッドボルト９の進退状態を検出するマイクロスイッチ２１が設けられている。マイクロスイッチ２１は、デッドボルト９の外側ボルト９０又は内側ボルト９１のいずれか又は両方が突出している場合には施錠信号を出力し、外側ボルト９０と内側ボルト９１のいずれもが錠部２内に引き込まれている場合には解錠信号を出力する。
【００３７】
仮締め用のラッチボルト８の下方には、リードスイッチ２２が設けられている。また、ドア３が正しく閉じられた状態で、該リードスイッチ２２に対向する壁の位置に磁石（図示せず）が配置されている。したがって、ドア３が閉じられるとリードスイッチ２２がオンしてドア開信号が出力され、ドア３が開けられるとリードスイッチ２２がオフしてドア閉信号が出力される。
【００３８】
前記シリンダ５の右側には、表示器２３が設けられている。この表示器２３は、指紋認証結果を、例えば「ＯＫ」や「ＮＧ」のように表示する。その他、必要に応じて警告表示等も行う。また、ドア３の内側に位置する内側ドアハンドル６の上部には設定表示操作部２６が設けられている。設定表示操作部２６は、解錠してドア３を開いてから一定時間後にドア３が閉じられなかった場合にその旨の表示をし、且つブザーにより警報を発する。また、接続されている図外のホストＣＰＵとの連携で、施解錠に関する所定のデータの設定が可能である。
【００３９】
なお、上記の構成では、デッドボルト９を、外側ボルト９０と内側ボルト９１とで構成したので、その大きさは、通常使用されているデッドボルトと外形的に同じにできる。このため、デッドボルト９が挿入される壁孔の大きさや位置などを変更せず、本実施形態の錠前装置を、現存している錠前装置にそのまま置き換えて使用することが可能である。また、外側ボルト９０を前記ソレノイド２０で移動させ、内側ボルト９１を鍵１やサムターン７で移動させるようにしても良い。また、デッドボルト９を通常使用されているものと同じ構造のものにし、ソレノイド２０で移動する別のデッドボルトを上記内側ボルトの代わりに設けても良い。
【００４０】
図６は、鍵１と錠部２の主要な構成図を示している。
【００４１】
錠部２は、鍵１の通信部１５と非接触通信方式によりデータの受信を行う通信部２４と、指紋認証結果を表示する表示部２３と、内側ボルト９１を進退させるソレノイド２０と、これらを制御する制御部２５とを備えている。非接触通信方式では、通信部２４から鍵１の通信部１５に搬送波を送り、通信部１５でこれを電力に変換して電源を獲得し、さらにその搬送波を変調することでデータ（指紋認証結果）を通信部２４に送る。または、鍵１に小型バッテリを内蔵させ、通信部１５からデータ（指紋認証結果）で変調した搬送波を通信部２４に送信するようにしても良い。
【００４２】
制御部２５は、上記データ（指紋認証結果）に基づいて、表示器２３に「ＯＫ」又は「ＮＧ」を表示する。また、ソレノイド２０を駆動してデッドボルト９の内側のボルトである内側ボルト９１を進退（突出または引き込み）させる。
【００４３】
なお、鍵１と錠部２との通信を非接触通信方式で行っているが、鍵１と錠部２にそれぞれ電気的端子を設け、これの接触によりデータ送信を行う接触通信方式を採用することも可能である。また、赤外線を利用したＩｒＤＡ（Infrared Data Association）方式やその他の方式を用いても良い。
次に図７以下を参照して動作を説明する。
【００４４】
図７は、操作者（以下、利用者と称する）が部屋に入室する場合の操作手順を示すスローチャートである。
【００４５】
部屋に入ろうとする入室者は、鍵１の把手部１１の表面に位置する指紋センサ１３に認証対象の指の所望の箇所を当て、鍵１をシリンダ５の鍵穴に入れる（ステップＳＴ１）。そして、表示器２３に「ＯＫ」が表示されることを確認し（ステップＳＴ２）、鍵１を回す（ステップＳＴ３）。解錠されると、外側ドアハンドル４を回してドア３を開ける（ステップＳＴ４）。入室して（ステップＳＴ５）、ドア３を閉める（ステップＳＴ６）。オートロックの場合は、ステップＳＴ７に進んで、自動的に施錠される。上記ステップＳＴ２において、表示器２３に「ＮＧ」が表示されると、デッドボルト９の内側にある内側ボルト９１が引き込まれないため解錠されない。
【００４６】
図８は、利用者が室内から外部に出る場合の操作手順を示すフローチャートである。
【００４７】
室内から外部に出ようとする利用者は、サムターン７を回し（ステップＳＴ１０）、デッドボルト９を引き込んでドア３のロックを解除する。そして、ハンドル６を回してドア３を開け（ステップＳＴ１１）、外に出て（ステップＳＴ１２）、ドア３を閉じる（ステップＳＴ１３）、オートロックの場合は、ステップＳＴ１４に進んで、自動的に施錠される。
【００４８】
図９は、制御部２５のメイン動作手順を示すフローチャートである。
【００４９】
（入室時の解錠動作）
今、ドア３が閉じられ、デッドボルト９が突出し、施錠されているものとする。部屋へ入りたい場合、利用者は、鍵１の把手部１１の表面に位置する指紋センサ１３に認証対象の指の所望の箇所（例えば、親指の腹の部分）を当て、鍵１をシリンダ５の鍵穴に入れる。
【００５０】
指紋センサ１３は、指紋採取面に押し当てられた指の指紋を検出し、認証部１４へ送る。認証部１４は、指紋センサ１３によって検出された指紋（検出指紋）と予め登録されている指紋（登録指紋）との照合を開始し、その照合により得られる認証結果を通信部５から錠部２の通信部２４を通じて、錠部２の制御部２５に送る（ステップＳＴ２０）。
【００５１】
制御部２５は、検出指紋と登録指紋とが一致しない場合には、表示部１３に「ＮＧ」の表示を行い、検出指紋と登録指紋とが一致すれば、表示部１３に「ＯＫ」の表示を行う（ステップＳＴ２１）。
【００５２】
認証結果が「ＯＫ」であった場合（ステップＳＴ２２のＹＥＳ）、制御部２５は、ソレノイド２０への瞬時通電を行う。これにより、デッドボルト９の内側にある内側ボルト９１が引き込まれ（ステップＳＴ２３）、鍵が回されて、機械的認証も成立していることを条件として、すなわち、鍵部１０（図１参照）と錠部とが正しい組み合わせであることを条件として、外側ボルト９０も引き込まれてドア３が解錠される。このようにして、入室者は、ドア３の解錠操作を行うことができる。
【００５３】
ドア３を解錠すると、制御部２５は、ソフトタイマＴＭ１の計時をスタートする（ステップＳＴ２４）。そして、リードスイッチ２２からの信号に基づき、ドア３が開かれたか否かを確認する（ステップＳＴ２５）。ソフトタイマＴＭ１がタイムオーバしてもドア３が開かれない場合（ステップＳＴ２６のＹＥＳ）、制御部２５は、ソレノイド２０への瞬時通電を行い、デッドボルト９の内側にある内側ボルト９１を突出させて施錠する（ステップＳＴ２７）。
【００５４】
ソフトタイマＴＭ１がタイムオーバする前にドア３が開かれれば（ステップＳＴのＮＯ）、ソフトタイマＴＭ１をリセットし（ステップＳＴ２８）、ソフトタイマＴＭ２の計時をスタートする（ステップＳＴ２９）。制御部２５は、リードスイッチ２２からの信号に基づき、ドア３が閉じられたか否かを確認する（ステップＳＴ３０）。
【００５５】
ソフトタイマＴＭ２がタイムオーバしてもドア３が閉じられない場合（ステップＳＴ３１のＹＥＳ）、制御部２５は、設定表示操作部２６において、ドア３が開いたままであることを、その旨の表示やブザーの鳴動により警報する（ステップＳＴ３２）。ソフトタイマＴＭ２がタイムオーバする前にドア３が閉じられれば（ステップＳＴ３０のＹＥＳ）、ソフトタイマＴＭ２をリセットして（ステップＳＴ３３）、一連の解錠動作を終了する。
【００５６】
なお、図９に示したフローチャートにおいて、ステップＳＴ２４〜ＳＴ３３の処理（ブロック＃１の処理）は省略してもよい。
【００５７】
また、ドア３が閉じられた場合に、オートロックをかけるようにしてもよい。
【００５８】
図１０にオートロックをかけるようにした場合のフローチャートを示す。
【００５９】
図９のステップＳＴ２３で解錠された後に図１０の手順に進む。
【００６０】
制御部２５は、リードスイッチ２２からのドア閉信号により、ドア３が閉じられたことを確認する（ステップＳＴ４０のＹＥＳ）。ソレノイド２０への瞬時通電を行い、内側ボルト９１を突出させて、ドア３を施錠する（ステップＳＴ４１）。
【００６１】
ドア３が実際に施錠されたか否かをマイクロスイッチ２１からの信号に基づいてチェックし（ステップＳＴ４２）、ドア３が施錠されなかった場合には、すなわちマイクロスイッチ１１から施錠信号が送られてこなかった場合には、設定表示操作部２６において、表示やブザーの鳴動などにより警告を発する（ステップＳＴ４３）。
【００６２】
オートロックは、入室時だけではなく、利用者が部屋から外に出るときにも可能である。この場合は、図１０のステップＳＴ４３においては、表示部２３において表示やブザーの鳴動などにより警告を発する。
【００６３】
次に、指紋情報の登録手順について説明する。
【００６４】
本実施形態では、指紋情報を指紋情報登録装置を利用して鍵１の認証部１４内のメモリに登録できるようになっている。指紋情報登録装置は、例えばホテルのロビーに設置される。図１１は、ホテルのロビーにホテル端末として設置された指紋情報登録装置の構成図である。
【００６５】
鍵１は、指紋センサ１３、認証部１４、通信部１５を備えている。指紋情報登録装置５は、ホテルの上位ホストに接続され、ホストＣＰＵ５１、表示部５１、通信部５２を備えている。
【００６６】
ホテル利用者のチェックイン時等に利用者に貸与される鍵１を指紋情報登録装置５の所定の位置に置き、登録モードを実行することで指紋情報の登録を行う。図１２は、指紋登録モード時の指紋情報登録装置５の動作手順を示すフローチャートである。
【００６７】
指紋情報登録装置５が指紋登録モードの実行を開始すると（ステップＳＴ５０）、表示部５１が、登録する指を指紋センサ１３の上に置く旨の表示を行う。利用者（指紋情報被登録者）が、登録する指を指紋センサ１３の上に置くと（ステップＳＴ５１）。認証部１４が指紋情報を採取し（ステップＳＴ５２）、採取された情報にかすれや傷などによる問題が無いかを判定し（ステップＳＴ５３）、問題があれば、表示部５１が指を一旦指紋センサ１３から離す旨表示（ステップＳＴ５６）する。次いで、ステップＳＴ５１以降の操作を再度行う。採取された指紋情報に問題がなければ、表示部５１は、指紋情報が問題なく採取されたので指を指紋センサ１３から離す旨表示を行い（ステップＳＴ５４）、利用者（指紋情報被登録者）が指紋センサ１３から指を離すと、認証部１４は採取した指紋情報から特徴部を抽出し、これを認証部１４内のメモリに登録する（ステップＳＴ５５）。
【００６８】
以上のように、指紋認証用に使う鍵１の指紋センサ１３と認証部１４とを指紋情報の登録にも使うようにしているため、登録用の指紋センサ等を別途設ける必要がない。
【００６９】
別の実施例として、図３に示す設定表示操作部２６を用いて登録モードが実行できるようして、指紋情報登録装置５を不要にすることもできる。例えば、錠部２の最初の段階で外側ボルト９０のみが施錠している図４（Ｃ）の状態にしておき、利用者に登録モードを実行するためのパスワードを付与しておく。利用者が鍵１をシリンダ５に挿入して回転すると、外側ボルト９０が解錠されることによりドア３が開くため、この状態で鍵１をシリンダ５に差し込んだまま、ドア内側にある設定表示操作部２６で入力されたパスワードの照合を該操作部２６におい行い上記登録モードを設定する（利用者は、設定表示操作部２６のテンキーからパスワードを入力する）。以下、鍵１と設定表示操作部２６との通信により、指紋センサ１３で採取した指紋情報の特徴部を抽出して認証部１４内のメモリに登録する。
【００７０】
さらに別の実施例として、上記指紋情報登録装置５又は設定表示操作部２６で行う指紋情報の抽出や登録の動作を鍵１の認証部１３自身に持たせても良い。
【００７１】
以上の実施形態では、鍵１の鍵部１０を凹凸構造にしたものを示したが、図１３に示すように、パンチ孔の配置パターンで鍵部１０′を構成しても良い。この配置パターンにより、鍵１と錠部２とが正しい組み合わせであるかどうかの機械的認証を行うことが可能である。この場合、錠部１０にはパンチ孔の開孔位置に光を照射する光照射部を備え、且つ、パンチ孔を透過した光を受光する受光部も備える。パンチ孔を変更することで利用者個々のセキュリティを向上することが出来るため、ホテル等、不特定多数の利用者がある場合に好都合である。
【００７２】
なお、鍵１の鍵部１０と錠部２が正しい組み合わせであるかどうかの認証方法には、磁気、電波等、その他の媒体を使用して認証する方法があるが、本発明はこれらの方法を採用した錠前装置にも摘要可能である。また、鍵の操作を行うときに同時に生体情報を取得できるものであれば他のセンサを使用することもできる。例えば、指紋センサに代えて指の静脈パターンの生体情報を取得するセンサを使用することも可能である。
【図面の簡単な説明】
【００７３】
【図１】本発明の実施形態である錠前装置に使用される鍵の正面図
【図２】上記錠前装置をドアに適用したときのドアの外側から見た図
【図３】上記錠前装置をドアに適用したときのドアの内側から見た図
【図４】デッドボルトの構造とその動きについて説明する図
【図５】ソレノイドの駆動による内側ボルトによる施解錠の動作を示す図
【図６】鍵と錠部のブロック図
【図７】錠部の動作を示すフローチャート
【図８】錠部の動作を示すフローチャート
【図９】錠部の動作を示すフローチャート
【図１０】錠部の動作を示すフローチャート
【図１１】指紋情報登録装置の構成を示す図
【図１２】指紋情報を登録するときの動作を示すフローチャート
【図１３】鍵の他の実施例を示す図
【図１】
2007040021.tif 000003
【図２】
2007040021.tif 000004
【図３】
2007040021.tif 000005
【図４】
2007040021.tif 000006
【図５】
2007040021.tif 000007
【図６】
2007040021.tif 000008
【図７】
2007040021.tif 000009
【図８】
2007040021.tif 000010
【図９】
2007040021.tif 000011
【図１０】
2007040021.tif 000012
【図１１】
2007040021.tif 000013
【図１２】
2007040021.tif 000014
【図１３】
2007040021.tif 000015